(57)【特許請求の範囲】
【請求項１】
ベース部に支持され、前記ベース部を基準とした第１位置と第２位置との間を移動可能な第１可動演出部材と、前記第１可動演出部材に支持されて前記第１可動演出部材を基準とした第３位置と第４位置との間を移動可能な第２可動演出部材とを備えた遊技機であって、
前記第１可動演出部材に、前記ベース部に向かって突出した第１突部を設けると共に、
前記ベース部に、前記第１可動演出部材が前記第１位置と前記第２位置との間を移動するときに前記第１突部が移動する経路に沿って形成された突部ガイドと、前記突部ガイドの中間部から分岐するか、又は前記突部ガイドの前記第２位置側の端部から前記突部ガイドの延長線とは異なる方向に延びた突部位置変更ガイドとを形成し、
前記第２可動演出部材から前記ベース部に向かって突出するか、又は、前記第１可動演出部材に支持されて前記第２可動演出部材に連動する連動部材から前記ベース部に向かって突出して、前記第１可動演出部材が前記第１位置と前記第２位置の中間の中間位置より前記第１位置側を移動するときには、前記第１突部と共に前記突部ガイドに沿って移動して、前記第２可動演出部材を前記第３位置に保持したまま前記第１可動演出部材と共に移動させる一方、前記第１可動演出部材が前記中間位置より前記第２位置側を移動するときには、前記突部位置変更ガイドに沿って移動して、前記第２可動演出部材を前記第３位置と前記第４位置との間で移動させながら前記第１可動演出部材と共に移動させる第２突部を備えたことを特徴とする遊技機。
【請求項２】
前記ベース部に回転可能に支持された動力伝達車と、
前記第１可動演出部材に設けられて、前記動力伝達車と係合して前記第１可動演出部材を前記第１位置と前記第２位置との間で移動させる線状受動部とを備えたことを特徴とする請求項１に記載の遊技機。
【請求項３】
前記突部ガイド及び前記突部位置変更ガイドは、前記ベース部に貫通形成或いは陥没形成されたガイド凹部で構成され、
前記第１突部及び第２突部は、前記ガイド凹部を貫通するか又は前記ガイド凹部に嵌り込んで、先端部側に抜け抑制部を備えたことを特徴とする請求項１又は２に記載の遊技機。
【請求項４】
ベース部に支持され、前記ベース部を基準とした第１位置と第２位置との間を移動可能な第１可動演出部材と、前記第１可動演出部材に支持されて前記第１可動演出部材を基準とした第３位置と第４位置との間を移動可能な第２可動演出部材とを備えた遊技機であって、
前記第１可動演出部材に、前記ベース部に向かって突出した第１突部を設けると共に、
前記ベース部に、前記第１可動演出部材が前記第１位置と前記第２位置との間を移動するときに前記第１突部が移動する経路に沿って形成された突部ガイドと、前記突部ガイドと並んで配置された突部位置保持ガイドと、前記突部位置保持ガイドの中間部から分岐するか又は前記突部位置保持ガイドの前記第２位置側の端部から前記突部位置保持ガイドの延長線とは異なる方向に延びた突部位置変更ガイドとを設け、
前記第２可動演出部材から前記ベース部に向かって突出するか、又は、前記第１可動演出部材に支持されて前記第２可動演出部材に連動する連動部材から前記ベース部に向かって突出して、前記第１可動演出部材が前記第１位置と前記第２位置の中間の中間位置より前記第１位置側を移動するときには、前記突部位置保持ガイドに沿って移動して、前記第２可動演出部材を前記第３位置に保持したまま前記第１可動演出部材と共に移動させる一方、前記第１可動演出部材が前記中間位置より前記第２位置側を移動するときには、前記突部位置変更ガイドに沿って移動して、前記第２可動演出部材を前記第３位置と前記第４位置との間で移動させながら前記第１可動演出部材と共に移動させる第２突部を備えたことを特徴とする遊技機。
【請求項５】
前記第１可動演出部材は、前記第１位置と前記第２位置との間を直動可能に構成されると共に、前記第２可動演出部材は、前記第３位置と前記第４位置との間を回動可能に構成されたことを特徴とする請求項１乃至４のうち何れか１の請求項に記載の遊技機。
【請求項６】
前記ベース部は、前記第１可動演出部材を直動可能に支持すると共に遊技機本体を基準とした第１主回動位置と第２主回動位置との間を回動可能な主回動部材と、前記主回動部材を基準とした第１従回動位置と第２従回動位置との間を回動可能な従回動部材と、前記従回動部材を前記第１従回動位置に付勢する付勢手段とを含んで構成され、
前記従回動部材のうち前記従回動部材の回動中心とは異なる位置に形成されたストッパ当接部と、
前記遊技機本体側に設けられて、前記第１従回動位置に配置された前記従回動部材が前記主回動部材と共に前記第１主回動位置から前記第２主回動位置へ回動する途中で、前記ストッパ当接部と当接して前記従回動部材を前記第１従回動位置から前記第２従回動位置へ回動させるストッパと、
前記従回動部材の前記第１従回動位置から前記第２従回動位置への回動を、前記第１可動演出部材の前記第１位置から前記第２位置への直動に変換する直動回動変換機構とを備えたことを特徴とする請求項５に記載の遊技機。
【請求項７】
前記直動回動変換機構は、
前記主回動部材に対して回転可能に軸支された動力伝達車と、
前記第１可動演出部材に形成され、前記動力伝達車と係合しかつ前記第１可動演出部材の直動方向に延びた直線受動部と、
前記従回動部材に形成されて前記動力伝達車と係合し、前記従回動部材の前記主回動部材に対する回動に伴って前記動力伝達車を回転駆動する曲線受動部とで構成されたことを特徴とする請求項６に記載の遊技機。
【請求項８】
前記主回動部材を、遊技者側から前記従回動部材を覆うと共に遊技者との対向方向と平行な軸を中心にして回動するように配置し、
前記遊技機本体に、前記第１主回動位置に配置された前記主回動部材と前記第１位置に配置された前記第１可動演出部材と前記第３位置に配置された前記第２可動演出部材とを遊技者側から覆うカバー部材を設け、
前記主回動部材、前記第１可動演出部材及び前記第２可動演出部材は、前記主回動部材が前記第１主回動位置から前記第２主回動位置へ回動するにつれて、前記カバー部材から出現することを特徴とする請求項６又は７に記載の遊技機。
【請求項９】
前記主回動部材を前記第１主回動位置と前記第２主回動位置との間で回転駆動するための駆動源と、
通常は非作動位置に配置され、遊技者の操作によって前記非作動位置から作動位置へ移動可能な演出実行操作部とを備え、
前記駆動源は、前記主回動部材が前記第１主回動位置に配置された状態で遊技者の操作により前記演出実行操作部が前記作動位置に配置されたことを契機にして、前記主回動部材を前記第２主回動位置側へ回転駆動し、遊技者が操作を中断して前記演出実行操作部が前記非作動位置に配置されたことを契機にして、前記主回動部材を前記第１主回動位置側へ回転駆動するように構成されたことを特徴とする請求項６乃至８のうち何れか１の請求項に記載の遊技機。
【請求項１０】
特定の演出を実行するための画像表示部を備えると共に、
前記第１可動演出部材及び前記第２可動演出部材を、前記主回動部材の前記第１主回動位置から前記第２主回動位置への移動に伴って、前記画像表示部の側方から前方へ移動するように配置し、
前記画像表示部は、前記主回動部材が前記第２主回動位置に配置された状態で前記演出実行操作部が前記作動位置に配置されていることを条件にして、前記特定の演出を実行すると共に、その特定の演出の実行中に前記演出実行操作部が前記非作動位置に配置されたときには、前記主回動部材の前記第１主回動位置側への移動と共に前記特定の演出を中断し、前記特定の演出を実行するために予め設定された所定期間内に、前記演出実行操作部が再び前記作動位置に配置されかつ前記主回動部材が再び前記第２主回動位置へ配置された場合には、前記特定の演出を再開するように構成されたことを特徴とする請求項９に記載の遊技機。
【請求項１１】
前記第１可動演出部材及び前記第２可動演出部材は、蓋を有する物品を模した形状をなすと共に、前記第２可動演出部材が前記蓋を模した形状になっていることを特徴とする請求項５乃至１０のうち何れか１の請求項に記載の遊技機。
【請求項１２】
前記ベース部は、前記第１位置に配置された前記第１可動演出部材を遊技者側から覆う前面カバーを有し、
前記第１可動演出部材は、前記第１位置から前記第２位置へ移動する途中で、前記前面カバーから出現するように移動することを特徴とする請求項１乃至１１のうち何れか１の請求項に記載の遊技機。
【発明の詳細な説明】
【技術分野】
【０００１】
本発明は、可動演出部材の移動により演出を行う遊技機に関する。
【背景技術】
【０００２】
従来、この種の遊技機として、可動演出部材を直動させて演出を行うものが知られている（例えば、特許文献１参照）。
【先行技術文献】
【特許文献】
【０００３】
【特許文献１】特開２００９−２１３８９５号公報（［００２１］、図２、図６）
【発明の概要】
【発明が解決しようとする課題】
【０００４】
しかしながら、上述した従来の遊技機では、可動演出部材を単に直動させるだけであるため、演出が単調となり趣向性に欠けるという問題があった。
【０００５】
本発明は、上記事情に鑑みてなされたもので、従来より趣向性を高めることが可能な遊技機の提供を目的とする。
【課題を解決するための手段】
【０００６】
上記目的を達成するためになされた請求項１の発明に係る遊技機は、ベース部に支持され、ベース部を基準とした第１位置と第２位置との間を移動可能な第１可動演出部材と、第１可動演出部材に支持されて第１可動演出部材を基準とした第３位置と第４位置との間を移動可能な第２可動演出部材とを備えた遊技機であって、第１可動演出部材に、ベース部に向かって突出した第１突部を設けると共に、ベース部に、第１可動演出部材が第１位置と第２位置との間を移動するときに第１突部が移動する経路に沿って形成された突部ガイドと、突部ガイドの中間部から分岐するか、又は突部ガイドの第２位置側の端部から突部ガイドの延長線とは異なる方向に延びた位置変更ガイドとを形成し、第２可動演出部材からベース部に向かって突出するか、又は、第１可動演出部材に支持されて第２可動演出部材に連動する連動部材からベース部に向かって突出して、第１可動演出部材が第１位置と第２位置の中間の中間位置より第１位置側を移動するときには、第１突部と共に突部ガイドに沿って移動して、第２可動演出部材を第３位置に保持したまま第１可動演出部材と共に移動させる一方、第１可動演出部材が中間位置より第２位置側を移動するときには、位置変更ガイドに沿って移動して、第２可動演出部材を第３位置と第４位置の間で移動させながら第１可動演出部材と共に移動させる第２突部を備えたところに特徴を有する。
【０００７】
請求項２の発明は、請求項１に記載の遊技機において、ベース部に回転可能に支持された動力伝達車と、第１可動演出部材に設けられて、動力伝達車と係合して第１可動演出部材を第１位置と第２位置との間で移動させる線状受動部とを備えたところに特徴を有する。
【０００８】
請求項３の発明は、請求項１又は２に記載の遊技機において、突部ガイド及び位置変更ガイドは、ベース部に貫通形成又は陥没形成されたガイド凹部で構成され、第１突部及び第２突部は、ガイド凹部を貫通するか又はガイド凹部に嵌り込んで、先端部側に抜け抑制部を備えたところに特徴を有する。
【０００９】
請求項４の発明に係る遊技機は、ベース部に支持され、ベース部を基準とした第１位置と第２位置との間を移動可能な第１可動演出部材と、第１可動演出部材に支持されて第１可動演出部材を基準とした第３位置と第４位置との間を移動可能な第２可動演出部材とを備えた遊技機であって、第１可動演出部材に、ベース部に向かって突出した第１突部を設けると共に、ベース部に、第１可動演出部材が第１位置と第２位置との間を移動するときに第１突部が移動する経路に沿って形成された突部ガイドと、突部ガイドと並んで配置された位置保持ガイドと、位置保持ガイドの中間部から分岐するか又は位置保持ガイドの第２位置側の端部から位置保持ガイドの延長線とは異なる方向に延びた位置変更ガイドとを設け、第２可動演出部材からベース部に向かって突出するか、又は、第１可動演出部材に支持されて第２可動演出部材に連動する連動部材からベース部に向かって突出して、第１可動演出部材が第１位置と第２位置の中間の中間位置より第１位置側を移動するときには、位置保持ガイドに沿って移動して、第２可動演出部材を第３位置に保持したまま第１可動演出部材と共に移動させる一方、第１可動演出部材が中間位置より第２位置側を移動するときには、位置変更ガイドに沿って移動して、第２可動演出部材を第３位置と第４位置との間で移動させながら第１可動演出部材と共に移動させる第２突部を備えたところに特徴を有する。
【００１０】
請求項５の発明は、請求項１乃至４のうち何れか１の請求項に記載の遊技機において、第１可動演出部材は、第１位置と第２位置との間を直動可能に構成されると共に、第２可動演出部材は、第３位置と第４位置との間を回動可能に構成されたところに特徴を有する。
【００１１】
請求項６の発明は、請求項５に記載の遊技機において、ベース部は、第１可動演出部材を直動可能に支持すると共に遊技機本体を基準とした第１主回動位置と第２主回動位置との間を回動可能な主回動部材と、主回動部材を基準とした第１従回動位置と第２従回動位置との間を回動可能な従回動部材と、従回動部材を第１従回動位置に付勢する付勢手段とを含んで構成され、従回動部材のうち従回動部材の回動中心とは異なる位置に形成されたストッパ当接部と、遊技機本体側に設けられて、第１従回動位置に配置された従回動部材が主回動部材と共に第１主回動位置から第２主回動位置へ回動する途中で、ストッパ当接部と当接して従回動部材を従回動位置から第２従回動位置へ回動させるストッパと、従回動部材の第１従回動位置から第２従回動位置への回動を、第１可動演出部材の第１位置から第２位置への直動に変換する直動回動変換機構とを備えたところに特徴を有する。
【００１２】
請求項７の発明は、請求項６に記載の遊技機において、直動回動変換機構は、主回動部材に対して回転可能に軸支された動力伝達車と、第１可動演出部材に形成され、動力伝達車と係合しかつ第１可動演出部材の直動方向に延びた直線受動部と、従回動部材に形成されて動力伝達車と係合し、従回動部材の主回動部材に対する回動に伴って動力伝達車を回転駆動する曲線受動部とで構成されたところに特徴を有する。
【００１３】
請求項８の発明は、請求項６又は７に記載の遊技機において、主回動部材を、遊技者側から従回動部材を覆うと共に遊技者との対向方向と平行な軸を中心にして回動するように配置し、遊技機本体に、第１主回動位置に配置された主回動部材と第１位置に配置された第１可動演出部材と第３位置に配置された第２可動演出部材とを遊技者側から覆うカバー部材を設け、主回動部材、第１可動演出部材及び第２可動演出部材は、主回動部材が第１主回動位置から第２主回動位置へ回動するにつれて、カバー部材から出現するところに特徴を有する。
【００１４】
請求項９の発明は、請求項６乃至８のうち何れか１の請求項に記載の遊技機において、主回動部材を第１主回動位置と第２主回動位置との間で回転駆動するための駆動源と、通常は非作動位置に配置され、遊技者の操作によって非作動位置から作動位置へ移動可能な演出実行操作部とを備え、駆動源は、主回動部材が第１主回動位置に配置された状態で遊技者の操作により演出実行操作部が作動位置に配置されたことを契機にして、主回動部材を第２主回動位置側へ回転駆動し、遊技者が操作を中断して演出実行操作部が非作動位置に配置されたことを契機にして、主回動部材を第１主回動位置側へ回転駆動するように構成されたところに特徴を有する。
【００１５】
請求項１０の発明は、請求項９に記載の遊技機において、特定の演出を実行するための画像表示部を備えると共に、第１可動演出部材及び第２可動演出部材を、主回動部材の第１主回動位置から第２主回動位置への移動に伴って、画像表示部の側方から前方へ移動するように配置し、画像表示部は、主回動部材が第２主回動位置に配置された状態で演出実行操作部が作動位置に配置されていることを条件にして、特定の演出を実行すると共に、その特定の演出の実行中に演出実行操作部が非作動位置に配置されたときには、主回動部材の第１主回動位置側への移動と共に特定の演出を中断し、特定の演出を実行するために予め設定された所定期間内に、演出実行操作部が再び作動位置に配置されかつ主回動部材が再び第２主回動位置へ配置された場合には、特定の演出を再開するように構成されたところに特徴を有する。
【００１６】
請求項１１の発明は、請求項５乃至１０のうち何れか１の請求項に記載の遊技機において、第１可動演出部材及び第２可動演出部材は、蓋を有する物品を模した形状をなすと共に、第２可動演出部材が蓋を模した形状になっているところに特徴を有する。
【００１７】
請求項１２の発明は、請求項１乃至１１のうち何れか１の請求項に記載の遊技機において、ベース部は、第１位置に配置された第１可動演出部材を遊技者側から覆う前面カバーを有し、第１可動演出部材は、第１位置から第２位置へ移動する途中で、前面カバーから出現するように移動するところに特徴を有する。
【発明の効果】
【００１８】
［請求項１〜５の発明］
請求項１の発明では、ベース部を基準とした第１位置と第２位置との間を移動可能な第１可動演出部材と、第１可動演出部材を基準とした第３位置と第４位置との間を移動可能な第２可動演出部材とを備え、第１可動演出部材が第１位置から第２位置へ移動すると、第１突部がベース部の突部ガイドに沿って移動する。ここで、第１可動演出部材が第１位置から第１位置と第２位置との中間の中間位置へ移動すると、第２可動演出部材に設けられるか、又は、第２可動演出部材に連動する連動部材に設けられた第２突部が第１突部と共に突部ガイドに沿って移動して、第２可動演出部材が第３位置に保持されたまま第１可動演出部材と共に第２位置側へ移動する。第１可動演出部材が中間位置から第２位置へ移動すると、第２突部が突部位置変更ガイドに沿って移動し、第２可動演出部材が第３位置から第４位置へ移動しながら第１可動演出部材と共に第２位置側へ移動する。
【００１９】
また、請求項４の発明では、第１可動演出部材が第１位置から中間位置へ移動すると、第２突部が、突部位置保持ガイドに沿って移動して、第２可動演出部材が第３位置に保持されたまま第１可動演出部材と共に第２位置側へ移動する。一方、第１可動演出部材が中間位置から第２位置へ移動すると、第２突部が突部位置変更ガイドに沿って移動し、第２可動演出部材が第３位置から第４位置へ移動しながら第１可動演出部材と共に第２位置側へ移動する。このように、請求項１，４の発明によれば、第１と第２の２つの可動演出部材に異なる動作を行わせて趣向性を向上させることが可能になる。
【００２０】
第１可動演出部材は、第１突部と突部ガイドとの係合によって第１位置と第２位置との間を移動するように構成されてもよいし、請求項２の発明のように、ベース部の動力伝達車と第１可動演出部材の線状受動部との係合によって第１位置と第２位置との間を移動するように構成されてもよい。なお、請求項２の発明によれば、動力伝達車と線状受動部との係合により第１可動演出部材が移動するときに、第１突部によって突部ガイドの幅方向の移動を規制して第１可動演出部材の移動の安定化を図ることが可能になる。
【００２１】
突部ガイド及び突部位置変更ガイドは、第１突部及び第２突部と係合するガイドレールであってもよいし、ベース部に貫通形成又は陥没形成されたガイド凹部であってもよい。ここで、突部ガイド及び突部位置変更ガイドをガイド凹部とした場合には、請求項３の発明のように、第１突部及び第２突部の先端部側に抜け抑制部を備えることで、それら突部がガイド凹部から抜けが抑制され、第１可動演出部材及び第２可動演出部材が移動するときのがたつきが抑えられる。
【００２２】
また、第１可動演出部材及び第２可動演出部材は、第１可動演出部材がベース部に対して回動し、第２可動演出部材が第１可動演出部材に対して直動又は回動する構成であってもよいし、第１可動演出部材がベース部に対して直動し、第２可動演出部材が第１可動演出部材に対して直動する構成であってもよいし、請求項５の発明のように、第１可動演出部材がベース部に対して直動し、第２可動演出部材が第１可動演出部材に対して回動する構成であってもよい。
【００２３】
［請求項６〜８の発明］
請求項６の発明では、主回動部材が回動すると、従回動部材のストッパ当接部が遊技機本体のストッパと当接して、従回動部材が主回動部材を基準とした第１従回動位置から第２従回動位置へと回動する。そして、この従回動部材の回動が第１可動演出部材の第１位置から第２位置への直動に変換され、その直動の過程で第２可動演出部材が第３位置から第４位置へと回動する。このように、請求項６の発明では、主回動部材と第１可動演出部材と第２可動演出部材が遊技機本体に対して回動する動作と、主回動部材が遊技機本体に対して回動しながら第１可動演出部材と第２可動演出部材が主回動部材に対して直動する動作と、主回動部材が遊技機本体に対して回動し、第１可動演出部材が主回動部材に対して直動しながら、第２可動演出部材が第１可動演出部材に対して回動する動作の３つの動作を段階的に行わせることができ、趣向性を高めることが可能になる。しかも、請求項８の発明のように、主回動部材が第１主回動位置から第２主回動位置へ回動するにつれて、第１可動演出部材及び第２可動演出部材がカバー部材から出現する構成とすれば、第１可動演出部材及び第２可動演出部材の段階的な動作を、第１と第２の可動演出部材がカバー部材から出現する度合いに応じて行わせることができ、さらなる趣向性の向上が図られる。
【００２４】
直動回動変換機構は、例えば、従回動部材に形成されたピニオンと、第１可動演出部材に形成されたラックとで構成されるラックアンドピニオン機構のように、従回動部材と第１可動演出部材とが直に連結する構成であってもよいし、請求項７の発明のように、主回動部材に対して回転可能に軸支された動力伝達車と、第１可動演出部材に形成され、動力伝達車と係合しかつ第１可動演出部材の直動方向に延びた直線受動部と、従回動部材に形成されて動力伝達車と係合し、従回動部材の主回動部材に対する回動に伴って動力伝達車を回転駆動する曲線受動部とで構成して、従回動部材と第１可動演出部材とが間接的に連結される構成であってもよい。なお、請求項７の発明によれば、第１可動演出部材の配置の自由度を高くすることが可能になる。
【００２５】
［請求項９の発明］
請求項９の発明によれば、遊技者による演出実行操作部の操作によって、第１可動演出部材及び第２可動演出部材を移動させることが可能になる。
【００２６】
［請求項１０の発明］
請求項１０の発明によれば、第１可動演出部材及び第２可動演出部材の動作による演出と画像表示部による特定の演出に一体感を持たせて趣向性を高めることが可能になる。
【００２７】
［請求項１１の発明］
請求項１１の構成によれば、第１可動演出部材及び第２可動演出部材は、第２可動演出部材を蓋にした物品を模した形状になっているので、第１可動演出部材の直動に伴った第２可動演出部材の回動によって、当該物品が移動しながら蓋が開く動作の演出を行うことが可能になる。
【００２８】
［請求項１２の発明］
請求項１２の発明によれば、前面カバーから第１可動演出部材を出現させながら第２可動演出部材を移動させることが可能になる。
【図面の簡単な説明】
【００２９】
【図１】本発明の一実施形態に係る遊技機の正面図
【図２】主回動部材が第２主回動位置に配置されたときの遊技機の正面図
【図３】主回動部材が第１主回動位置に配置されたときの可動役物装置の正面図
【図４】主回動部材が第１主回動位置に配置されたときの可動ベース及び可動演出部材の背面図
【図５】可動役物装置の前方分解斜視図
【図６】可動ベース及び固定ベースの後方分解斜視図
【図７】可動演出部材及び可動演出部材支持ベースの前方分解斜視図
【図８】可動演出部材及び可動演出部材支持ベースの後方分解斜視図
【図９】可動演出部材が第１の動作中の可動演出装置の正面図
【図１０】可動演出部材が第１の動作中の可動ベース及び可動演出部材の背面図
【図１１】可動演出部材が第１の動作中の従回動部材及び小径平歯車の断面図
【図１２】可動演出部材が第１の動作中の大径平歯車及びラックの断面図
【図１３】可動演出部材が第２の動作中の可動演役物装置の正面図
【図１４】可動演出部材が第２の動作中の可動ベース及び可動演出部材の背面図
【図１５】可動演出部材が第２の動作中の従回動部材及び小径平歯車の断面図
【図１６】可動演出部材が第２の動作中の大径平歯車及びラックの断面図
【図１７】主回動部材が第２主回動位置に配置されたときの可動役物装置の正面図
【図１８】主回動部材が第２主回動位置に配置されたときの可動ベース及び可動演出部材の背面図
【図１９】主回動部材が第２主回動位置に配置されたときの従回動部材及び小径平歯車の断面図
【図２０】主回動部材が第２主回動位置に配置されたときの大径平歯車及びラックの断面図
【図２１】（Ａ）特定の演出が選択されたときの表示画面及び可動役物装置の正面図、（Ｂ）操作ボタンが長押しされたときの表示画面及び可動役物装置の正面図、（Ｃ）特定の演出を実行中の表示画面及び可動役物装置の正面図
【図２２】（Ａ）特定の演出が中断されたときの表示画面及び可動役物装置の正面図、（Ｂ）操作ボタンが再度長押しされたときの表示画面及び可動役物装置の正面図、（Ｃ）特定の演出を再開後の表示画面及び可動役物装置の正面図
【図２３】変形例に係るメイン可動演出部材の背面図
【図２４】変形例に係る可動演出部材の動作を説明するための図
【図２５】変形例に係るメイン突部及びサブ突部の動作を説明するための図
【図２６】（Ａ）変形例に係る可動演出部材及びベース部の正面図、（Ｂ）その背面図
【図２７】変形例に係るベース部の背面図
【図２８】変形例に係るベース部の背面図
【発明を実施するための形態】
【００３０】
以下、本発明の一実施形態を、図１〜図２２を用いて説明する。本実施形態に係る遊技機１０は、図１に示されており、遊技機１０の遊技板１１の前面には、ガイドレール１２で囲まれたほぼ円形の遊技領域Ｒ１が形成されている。
【００３１】
遊技板１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられ、ガラス窓１０Ｗの上方の両側には、スピーカ２５，２５が備えられている。また、ガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球が遊技領域Ｒ１に向けて弾き出される。
【００３２】
また、上皿２６の中央部には、遊技者が操作可能な操作ボタン２９が設けられている。操作ボタン２９は、上面が透光部材で形成され、その下方に設置された発光部の点灯によって発光して、操作可能な状態であることを遊技者に報知するようになっている。また、操作ボタン２９は、通常は、例えば、バネによって上方の非作動位置に付勢され、遊技者が操作ボタン２９を押すと下方の作動位置に押し込まれ、遊技者が操作ボタン２９から手を離すと再び非作動位置に配置されるようになっている。
【００３３】
図２に示すように、遊技板１１のうち遊技領域Ｒ１の中央には、異形の遊技板表示窓１１Ｈが貫通形成されており、その遊技板表示窓１１Ｈに遊技板１１の裏面側から液晶表示装置３０が対向している。液晶表示装置３０は、液晶モジュール（例えば、ＴＦＴ−ＬＣＤモジュール）で構成され、その表示画面３０Ｇが、遊技板１１の奥側に配置されている。
【００３４】
遊技板１１の前面中央には、表示画面３０Ｇを囲むように表示装飾枠２３が取り付けられている。表示装飾枠２３は、遊技板１１の前面側から遊技板表示窓１１Ｈに嵌め込まれ、遊技板表示窓１１Ｈの内側に張り出すと共に、遊技板１１の前面から突出している。そして、遊技領域Ｒ１を流下する遊技球が、表示装飾枠２３の外側を通過して表示装飾枠２３の内側に進入しないように構成されている。
【００３５】
遊技領域Ｒ１のうち表示装飾枠２３の下方における左右方向の中央部には、始動入賞口１４，大入賞口１５及びアウト口１６が、上から順に間隔を開けて並べて設けられている。始動入賞口１４の左側には、ガイドレール１２に沿って一般入賞口２０が複数設けられている。また、表示装飾枠２３の左側には、始動ゲート１８と風車１９が設けられている。大入賞口１５の右側には、サイド入賞口２１が設けられている。また、図示しないが、遊技領域Ｒ１には多数の障害釘が植設されている。
【００３６】
一般入賞口２０及びサイド入賞口２１は、所謂、ポケット構造をなして、遊技板１１の前面から突出した部材上面に開放しており、遊技球が丁度１つ入球可能な大きさで上方に開口している。そして、一般入賞口２０又はサイド入賞口２１に遊技球が入ると、例えば、４個の遊技球が賞球として上皿２６に払い出される。
【００３７】
大入賞口１５は、横長矩形に形成されて、常には、可動扉１５Ｔにて閉塞されている。遊技機１０が「大当たり状態」になると、可動扉１５Ｔが所定期間に亘って前側に倒れる。これにより、大入賞口１５が開放され、可動扉１５Ｔを案内にして、大入賞口１５に遊技球が入球（入賞）可能となる。そして、大入賞口１５に遊技球が入賞すると、例えば、１個の入賞につき１５個の遊技球が上皿２６に払い出される。
【００３８】
始動ゲート１８は、遊技球が潜って通過可能な門形構造をなし、遊技球が始動ゲート１８を通過すると当否判定が行われる。その当否判定の結果は、液晶表示装置３０の表示画面３０Ｇ或いは、液晶表示装置３０とは別の表示装置（図示せず）にて表示される。具体的には、当否判定結果が当たり（以下、「小当たり」という）の場合は「○」が表示され、外れの場合は「×」が表示される。
【００３９】
始動入賞口１４の左右両側には可動翼片１４Ｃ，１４Ｃが備えられている。これら両可動翼片１４Ｃ，１４Ｃは、常には、起立状態になっている。そして、上述した「小当たり」となった場合に可動翼片１４Ｃ，１４Ｃが所定期間に亘って横に倒される。すると、始動入賞口１４の上方空間が側方に開放し、遊技球が可動翼片１４Ｃに受け止められて始動入賞口１４に案内されるようになる。
【００４０】
始動入賞口１４に遊技球が入賞すると、例えば、１個の入賞につき４個の遊技球が上皿２６に払い出されると共に当否判定が行われる。その判定結果は、液晶表示装置３０の表示画面３０Ｇにて表示される。
【００４１】
具体的には、表示画面３０Ｇには、通常、３つの左、中、右の特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４に遊技球が入賞したときに、これら３つの特別図柄が変動表示（上下方向にスクロール表示）され、所定時間後に、例えば、左、右、中の順で各特別図柄が停止表示される。始動入賞口１４への入賞に起因した当否判定結果が当たり（以下、「大当たり」という）の場合には、３つの特別図柄が全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００４２】
なお、表示画面３０Ｇでは、遊技の当否判定結果が表示される過程で、３つの特別図柄の変動中に行われる予告演出や、３つの特別図柄のうち２つが同じ図柄で停止表示された後に行われるリーチ演出といった演出が行われる。また、表示画面３０Ｇでは、大当たり遊技中に、大当たり遊技終了後の特典（例えば、確変状態や時短状態）が付与されるか否かについての演出が行われてもよい。
【００４３】
上述した各入賞口１４，１５，２０，２１の何れにも入賞しなかった遊技球は、遊技領域Ｒ１の下端に配置されたアウト口１６に全て取り込まれる。
【００４４】
さて、表示装飾枠２３の右側辺部の裏側には、図３に示す可動役物装置４０が備えられている。可動役物装置４０は、遊技板１１に固定された固定ベース４１と、固定ベース４１に回動可能に支持された可動ベース４５（本発明の「ベース部」に相当する）と、可動ベース４５に対して移動可能に支持された可動演出部材７０とを有している。可動演出部材７０は、通常は、表示装飾枠２３の裏側に隠れて遊技者から視認困難になっていて、特定の条件が成立したときに、表示装飾枠２３の裏側から飛び出して液晶画面３０Ｇの前方に出現することで演出を行うようになっている（図２参照）。なお、本実施形態では、表示装飾枠２３の右側辺部が、本発明の「カバー部材」に相当する。
【００４５】
以下、可動役物装置４０の各構成部品について説明する。図６に示すように、固定ベース４１は平板状をなし、その後面には、可動ベース４５を回転駆動するためのモータ４２（本発明の「駆動源」に相当する）が固定されている。図５に示すように、モータ４２の出力軸は、固定ベース４１を貫通し、その先端部には、出力ギア４２Ｇが固定されている。また、固定ベース４１の前面のうち出力ギア４２Ｇの下方には、出力ギア４２Ｇと噛合する中継ギア４３が軸支されている。
【００４６】
また、固定ベース４１の下端部のうち左側部分には、ピン挿通孔４１Ａが貫通形成されている。さらに、固定ベース４１の前面の左下隅部には、ストッパ当接部受容凹部４４が陥没形成されている。ストッパ当接部受容凹部４４は、ピン挿通孔４１Ａを中心とした円弧状をなし、上方へ向かうにつれて左右方向の中央へ向かうようになっている。
【００４７】
図６に示すように、可動ベース４５は、固定ベース４１に対して回動可能な主回動部材４６と従回動部材６０を備えている。主回動部材４６は、可動演出部材７０を挟んで前後に配置されたカバー部４７と可動演出部材支持ベース４８とを備えている（図５参照）。
【００４８】
可動演出部材支持ベース４８は、縦長矩形状をなすプレート部４８Ａの左下隅部からカバー取付部４８Ｂが前方に突出した構成をなし、カバー取付部４８Ｂの前端部が側方に折れ曲がって遊技板１１（図１参照）と平行になっている。プレート部４８Ａの下端部のうち左右方向の中間位置には、軸部４９が後方に向かって突出形成され、その軸部４９の中心にピン挿通孔４９Ａが貫通形成されている。また、軸部４９には、図示しないピンが前方からピン挿通孔４９Ａを貫通した状態で固定されている。そして、この図示しないピンが固定ベース４１のピン挿通孔４１Ａを貫通して抜け止めされることにより、可動演出部材支持ベース４８が固定ベース４１に対して軸部４９を中心に回動可能となっている。
【００４９】
図５及び図６に示すように、プレート部４８Ａの左側辺部には、プレート部４８Ａの長手方向に沿った直線状の直動ガイド孔５１が貫通形成されている。また、プレート部４８Ａの右側辺部には、突部ガイド孔５０（本発明の「ガイド凹部」に相当する）が貫通形成されている。突部ガイド孔５０は、直動ガイド孔５１Ａと平行な突部ガイド５０Ａと、突部ガイド５０Ａの上端部から左上方に向かって直線状に延びた突部位置変更ガイド５０Ｂとで構成されている。
【００５０】
図６に示すように、プレート部４８Ａの後面のうち幅方向における中間部の上端寄り部分には、ギア支持軸５２が突出形成され、このギア支持軸５２に動力伝達ギア５３（本発明の「動力伝達車」に相当する）が軸支されている。動力伝達ギア５３は、前側部分が大径平歯車５３Ａ、後側部分が小径平歯車５３Ｂである２段ギアになっている。
【００５１】
また、プレート部４８Ａの後面のうちギア支持軸５２の下方位置には、係合突部５４が突出形成されている。さらに、プレート部４８Ａの後面には、直動ガイド孔５０、直動ガイド孔５１を囲むように囲壁５０Ｈ，５１Ｈが形成されるとともに、それら囲壁５０Ｈ，５１Ｈを連絡する連絡壁４８Ｈが形成されている。連絡壁４８Ｈは、軸部４９を中心とした円弧状をなし、軸部４９と反対側から係合突部５４と隣接している。また、連絡壁４８Ｈの先端面（後面）と、囲壁５０Ｈ，５１Ｈのうち連絡壁４８Ｈと連絡する部分の先端面（後面）とには、連絡壁４８Ｈに沿った円弧状の突条５５が形成されている。
【００５２】
図５に示すように、カバー部４７は、可動演出部材７０を前方から覆う前面カバー５６と、前面カバー５６の左隅から側方に扇形状に張り出した扇形張出片５７とを備えている。扇形張出片５７の外縁寄り部分には、軸部４９を中心とした円弧に沿った段差部５７Ｄが形成され、その段差部５７Ｄより外側部分が前方に突出している。なお、前面カバー５６は、左側辺部が後方に折り曲げられて、可動演出部材７０の左側方をからも覆うようになっている。
【００５３】
図６に示すように、扇形張出部５７の後面のうち段差部５７Ｄより内側部分には、位置決め凹部５７Ａが複数形成されている。そして、それら複数の位置決め凹部５７Ａと、可動演出部材支持ベース４８のカバー取付片４８Ｂの前面に形成された複数の位置決め突部４８Ｔ（図５参照）とが凹凸係合した状態で、可動演出部材支持ベース４８と前面カバー５６とが結合されている。
【００５４】
扇形張出部５７のうち段差部５７Ｄより外側部分の後面には、円弧状のガイド溝５７Ｍが形成され、可動ベース４５が固定ベース４１に対して回動したときに、中継ギア４３がガイド溝５７Ｍに沿って移動可能になっている（図４参照）。
【００５５】
段差部５７Ｄのうち径方向の外側を向いた面には、第１円弧状ギア５７Ｇが形成されている。第１円弧状ギア５７Ｇの円弧の中心角は、固定ベース４１のストッパ当接部受容凹部４４の円弧の中心角よりも大きくなっている。また、第１円弧状ギア５７Ｇは、中継ギア４３と噛合し、モータ４２からの動力を受けて中継ギア４３が回転すると、主回動部材４６が固定ベース４１に対して、軸部４９を中心に回動するようになっている（図４参照）。具体的には、主回動部材４６は、固定ベース４１に対して、図３及び図４に示した回動位置と、図１７及び図２０に示した回動位置との間を回動可能になっている。なお、図３及び図４に示した主回動部材４６の固定ベース４１に対する回動位置が本発明の「第１主回動位置」に相当し、図１７及び図２０に示した主回動部材４６の固定ベース４１に対する回動位置が本発明の「第２主回動位置」に相当する。
【００５６】
図５に示すように、従回動部材６０は、全体が前後方向に薄くなった平板状をなし、可動演出部材支持ベース４８のプレート部４８Ａに後方から重ねられている。図４に示すように、従回動部材６０は、プレート部４８Ａの軸部４９側（下端側）に重ねられた基端部６０Ａが直線状をなし、プレート部４８Ａの軸部４９から離れた側（上端側）に重ねられた先端部６０Ｂが基端部６０Ａより幅広になっている。基端部６０Ａには、軸部挿通孔６１が貫通形成され、この軸部挿通孔６１に軸部４９が挿通されて、従回動部材６０が軸部４９の回りに回動可能になっている。
【００５７】
従回動部材６０の先端部６０Ｂには、軸部挿通孔６１を中心とした円弧状長孔６３が貫通形成されている。図４に示すように、円弧状長孔６３には、主回動部材４６の係合突部５４が挿通されている。なお、係合突部５４は、先端部にワッシャー５４Ｗが取り付けられることで円弧状長孔６３から抜け止めされている。
【００５８】
図５に示すように、先端部６０Ｂの前面のうち円弧状長孔６３より先端寄り部分には、円弧状長孔６３と平行な円弧状溝６４が形成されている。そして、円弧状溝６４のうち従回動部材６０の基端側を向いた内側面には、第２円弧状ギア６４Ｇ（本発明の「曲線受動部」に相当する）が形成されている。第２円弧状ギア６４Ｇは、上述した動力伝達ギア５３の小径平歯車５３Ｂと噛合している（図１１、図１５及び図１９参照）。
【００５９】
図６に示すように、従回動部材６０のうち基端部６０Ａの後面には、ストッパ当接部６５が突出形成されている。ストッパ当接部６５は、円柱状をなし、先端部が固定ベース４１のストッパ当接部受容凹部４４（図５参照）に受容されている。
【００６０】
また、図６に示すように、従回動部材６０の基端部６０Ａの左側辺部には、係止爪６０Ｋが形成され、主回動部材４６の可動演出支持部材４８の左側片部にも、係止爪６０Ｋと同様の係合爪４８Ｋが形成されている。図４に示すように、係止爪４８Ｋ，６０Ｋの間には、引っ張りバネ６２（本発明の「付勢手段」に相当する）が取り付けられ、引っ張りバネ６２の付勢力により、従回動部材６０は、後側から見たときに、軸部４９を中心とした時計回り方向（図４における時計回り方向）に付勢されている。
【００６１】
ここで、主回動部材４６が第１主回動位置に配置されているときには、係合突部５４が円弧状長孔６３の内側面のうち第１主回動位置側の端部と当接することによって、従回動部材６０は主回動部材４６に対して図４に示した回動位置に保持されている。この状態から、モータ４２からの動力を受けて主回動部材４６が第１主回動位置（図３参照）から第２主回動位置（図１７参照）へ向かって回動すると、従回動部材６０は引っ張りバネ６２の付勢力によって主回動部材４６に対する回動位置を保持しながら、主回動部材４６と共に回動する（図１０参照）。主回動部材４６が、第２主回動位置側へ回動していくと、従回動部材６０のストッパ当接部６５が、ストッパ当接部受容凹部４４の内側面のうち第１主回動位置側を向いたストッパ面４４Ｍ（本発明の「ストッパ」に相当する）と当接し、従回動部材６０は、引っ張りバネ６２の付勢力に抗して主回動部材４６に対して第１主回動位置側へ相対回転する（図１４参照）。そして、主回動部材４６が第２主回動位置に配置されると、従回動部材６０は、主回動部材４６に対して図１８に示す回動位置に配置される。なお、図４に示した従回動部材６０の主回動部材４６に対する回動位置が本発明の「第１従回動位置」に相当し、図１８に示した従回動部材６０の主回動部材に対する回動位置が本発明の「第２従回動位置」に相当する。
【００６２】
次に、可動演出部材７０について説明する。図５に示すように、可動演出部材７０は、前側がライターを模した形状になっていて、ライターの本体部を模したメイン可動演出部材７１（本発明の「第１可動演出部材」に相当する）と、ライターの蓋を模したサブ可動演出部材７２（本発明の「第２可動演出部材」に相当する）とで構成されている。
【００６３】
図７に示すように、メイン可動演出部材７１は、縦長矩形状をなして主回動部材４６の可動演出部材支持ベース４８の前面に重ねて配置された部材取付板７３を備えている。部材取付板７３の前面には、装飾カバー７４が組み付けられている。
【００６４】
図８に示すように、部品取付板７３の左側辺部の後面には、ラック支持突部７３Ｔ，７３Ｔが部品取付板７３の長手方向に沿って突出形成されている。ラック支持突部７３Ｔ，７３Ｔは、可動演出部材支持ベース４８の直動ガイド孔５１を貫通し、それらラック支持部材７３Ｔ，７３Ｔの先端部に、直動ガイド孔５１と平行な帯状部材７５が固定されている。なお、メイン可動演出部材７１は、支持部材７３Ｔ，７３Ｔが直動ガイド孔５１に受容されることで、可動演出部材支持ベース４８に直動可能に支持されている。
【００６５】
図７及び図１２に示すように、帯状部材７５の右側辺部には、ラック７６（本発明の「線状受動部」及び「直線受動部」に相当する）が形成され、このラック７６が上述した動力伝達ギア５３の大径平歯車５３Ａと噛合している。そして、大径平歯車５３Ａが後方から見て反時計方向（図１２における反時計方向）に回転すると、図１２から図２０への変化に示すように、メイン可動演出部材７１が直動ガイド孔５１に沿って直動するようになっている。即ち、メイン可動演出部材７１は、可動演出部材支持ベース４８（可動ベース４５）に直動可能に支持されている。以下では、図３，４，９〜１２に示したメイン可動演出部材７１の可動演出部材支持ベース４８（可動ベース４５）に対する直動位置を「第１ベース位置」と呼び、図１７〜２０に示したメイン可動演出部材７１の可動演出部材支持ベース４８（可動ベース４５）に対する直動位置を「第２ベース位置」と呼ぶことにする。なお、第１ベース位置が本発明の「第１位置」に相当し、第２ベース位置が本発明の「第２位置」に相当する。
【００６６】
また、図８に示すように、部品取付板７３の右側部の下端寄り位置には、ガイド孔係合突部８０Ｔが後方に向かって突出形成されている。ガイド孔係合突部８０Ｔは、可動演出部材支持ベース４８の突部ガイド孔５０を貫通し、メイン可動演出部材７１が第１ベース位置から第２ベース位置へ移動する間、突部ガイド孔５０の突部ガイド５０Ａに沿って移動するようになっている。また、図４に示すように、ガイド孔係合突部８０Ｔは、先端部にワッシャー８０Ｗ（本発明の「抜け抑制部」に相当する）が組み付けられることで、突部ガイド孔５０から抜け止めされている。そして、ガイド孔係合突部８０Ｔとワッシャー８０Ｗとによってメイン突部８０（本発明の「第１突部」に相当する）が形成されている。
【００６７】
図７及び図８に示すように、サブ可動演出部材７２は、部材取付板７３を挟んで前後に配置された装飾カバー７７と動力伝達部７８を備えている。動力伝達部７８は、全体が円盤状になっていて、前側部分が段付き状に縮径され、後側部分が平歯車になっている。また、動力伝達部７８の中心部には、貫通孔７８Ａが形成され（図８参照）、装飾カバー７７の右下隅部の後面には、図示しない螺子孔が形成されている。そして、動力伝達部７８の縮径された部分を、部材取付板７３の左上隅部に形成された回動中心孔７３Ａに挿入した状態で、貫通孔７８Ａを挿通したボルト（図示せず）にて装飾カバー７７と動力伝達部７８とを結合することで、サブ可動演出部材７２がメイン可動演出部材７１に対して回動中心孔７３Ａを中心に回動可能になっている。
【００６８】
また、図８に示すように、部品取付板７３の後面には、連動部材９０が組み付けられている。連動部材９０は、部品取付板７３の後面に重ねられて部品取付板７３の上端寄り位置に設けられた支持突部９０Ｔに回動可能に支持されたレバーであって、その回動中心から下方に向かって延びた入力側突片９０Ａと、回動中心から左側方に向かって延びた出力側突片９０Ｂとを備えている。出力側突片９０Ｂは扇形状をなし、外周面に、動力伝達部７８の平歯車と噛合する噛合面が形成されている。
【００６９】
入力側突片９０Ａの先端部には、後方に向かって突出したガイド孔係合突部９１Ｔが形成されている。ガイド孔係合突部９１Ｔは、上述したメイン突部８０と同様に、可動演出部材支持ベース４８の突部ガイド孔５０を貫通し、先端部に組み付けられたワッシャ９１Ｗ（本発明の「抜け抑制部」に相当する）によって、突部ガイド孔５０から抜け止めされている（図４参照）。そして、ガイド孔係合突部とワッシャ９１Ｗとによってサブ突部９１（本発明の「第２突部」に相当する）が形成されている。
【００７０】
詳細には、サブ突部９１は、図４に示すように、メイン可動演出部材７１が第１ベース位置に配置された状態で、突部ガイド孔５０の突部ガイド５０Ａ内に受容され、メイン突部８０よりも突部位置変更ガイド５０Ｂ側に配置されている。メイン可動演出部材７１が第１ベース位置から第２ベース位置へ向かって直動すると、サブ突部９１はメイン突部８０と共に突部ガイド５０Ａに沿って移動する。そして、メイン可動演出部材７１が、図１４〜図１６に示した中間ベース位置（本発明の「中間位置」に相当する）に到達すると、サブ突部９１は、突部位置変更ガイド５０Ｂの内側面と当接し、図１８〜２０に示すように、メイン可動演出部材７１が中間ベース位置より第２ベース位置側へ移動すると、サブ突部９１は、突部位置変更ガイド５０Ｂに沿って移動する。また、メイン可動演出部材７１が第２ベース位置から第１ベース位置へ移動するときは、サブ突部９１は、逆の動きをする。即ち、サブ突部９１は、メイン可動演出部材７１が中間ベース位置よりも第１ベース位置側を移動する間は、メイン突部８０と共に突部ガイド５０Ａに沿って移動し、メイン可動演出部材７１が中間ベース位置よりも第２ベース位置側を移動する間は、突部位置変更ガイド５０Ｂに沿って移動する。
【００７１】
ここで、サブ突部９１が突部位置変更ガイド５０Ｂに沿って移動すると、連動部材９０がメイン可動演出部材７１に対して支持突部９０Ｔ（図８参照）を中心に回動する。上述のように、連動部材９１の出力側突片９０Ｂは動力伝達部７８と噛合しているので、連動部材９０が回動すると、サブ回動演出部材７２はメイン可動演出部材７１に対して回動中心孔７３を中心にして回動する。以下では、図１３〜１６に示したサブ可動演出部材７２のメイン可動演出部材７１に対する回動位置を「第１メイン位置」と呼び、、図１７〜２０に示したサブ可動演出部材７２のメイン可動演出部材７１に対する回動位置を「第２メイン位置」と呼ぶことにする。なお、第１メイン位置が本発明の「第３位置」に相当し、第２メイン位置が本発明の「第４位置」に相当する。
【００７２】
次に、可動役物装置４０の動作について説明する。上述したように、可動役物装置４０は、通常は、表示装飾枠２３にて前方が覆われて遊技者から視認困難になっている（図１参照）。このとき、可動ベース４５の主回動部材４６は、固定ベース４１に対して第１主回動位置に配置されている。可動演出部材７０のメイン可動演出部材７１は、可動ベース４５に対して第１ベース位置に配置され、サブ可動演出部材７２は、メイン可動演出部材７１に対して第１メイン位置に配置されている。また、メイン可動部材７１とサブ可動演出部材７２は、上下に並べて配置され、メイン可動演出部材７１の上端部より下側が可動ベース４５の前面カバー５６にて前方を覆われている（図３参照）。
【００７３】
モータ４２が作動すると、出力ギア４２Ｇが前方から見て反時計回りに回転し、この回転に連動して中継ギア４３が前方から見て時計回りに回転する。上述したように、中継ギア４３は可動ベース４５の主回動部材４６に設けられた第１円弧状ギア５７Ｇと噛合しているので（図４参照）、中継部材４３が回転すると、主回動部材４６が第１主回動位置（図４に示す主回動部材４６の位置）から第２回動位置側（図４における時計方向側）へと回動する。そして、図３から図９への変化に示すように、可動ベース４５が前方視反時計方向に回動する。
【００７４】
ここで、従回動部材６０は、引っ張りバネ６２によって第２主回動位置側に付勢されているので、第１従回動位置（図４に示す従回動部材６０の位置）に保持されたまま、主回動部材４６と共に第２主回動位置側へ回動する。また、可動演出部材７０のうちメイン可動演出部材７１は、第１ベース位置に保持され、サブ可動演出部材７２は第１メイン位置に保持される。即ち、可動演出部材７０は、図３から図９への変化に示すように、可動ベース４５と共に前方視反時計方向に回動する。なお、この回動の過程で、可動演出部材７０は、左上隅から徐々に表示装飾枠２３の裏側から表示画面３０Ｇの前方に出現するようになっている。
【００７５】
可動ベース４５が図９に示す位置からさらに第２主回動位置側へ回動すると、従回動部材６０のストッパ当接部６５が固定ベース４１に形成されたストッパ当接部受容凹部４４のストッパ面４４Ｍと当接し、従回動部材６０が主回動部材４６に対して第１主回動位置側へと回動する（図１４参照）。即ち、従回動部材６０が主回動部材４６を基準とした第１従回動位置（図１４に示す従回動部材６０の位置）から第２従回動位置（図１８に示す従回動部材６０の位置）へと回動する。
【００７６】
従可動部材６０が回動すると、従回動部材６０に形成された第２円弧状ギア６４Ｇと小径平歯車５３Ｂとの噛合により動力伝達ギア５３が回転し（図１５参照）、大径平歯車５３Ａとラック７６との噛合によりメイン可動演出部材７１が第１ベース位置（図９に示すメイン可動演出部材７１の位置）から第２ベース位置（図１７に示すメイン可動演出部材７１の位置）へと直動する（図１６参照）。このとき、メイン可動演出部材７１は、メイン突部８０が突部ガイド５０Ａに沿って移動することで、突部ガイド５０Ａの幅方向の移動が規制されている。
【００７７】
また、サブ突部９１は、メイン突部８０と共に突部ガイド５０Ａ内を移動し、サブ可動演出部材７２は、第１メイン位置に保持されたまま、メイン可動演出部材７１と共に可動ベース４５に対して直動する。即ち、可動演出部材７０は、図９から図１３への変化に示すように、可動ベース４５と共に前方視反時計方向に回動しながら、可動ベース４５に対して前面カバー５６から飛び出すように直動する。
【００７８】
ここで、可動ベース４５が図１３に示した位置にあるとき、サブ突部９１は、突部ガイド５０Ａの突部位置変更ガイド５０Ｂ側の端部に配置されている（図１４参照）。そして、可動ベース４５がさらに第２主回動位置側へ回動すると、メイン可動演出部材７１がさらに第２ベース位置側へと移動し、サブ突部９１が突部位置変更ガイド５０Ｂに沿って移動する（図１８参照）。すると、上述したように、サブ可動演出部材７２がメイン可動演出部材７１を基準とした第１メイン位置（図１４に示すサブ可動演出部材７２の位置）から第２メイン位置（図１８に示すサブ可動演出部材７２の位置）へ向かって回動する。即ち、可動演出部材７０は、図１３から図１７の変化に示すように、メイン可動演出部材７１が可動ベース４５と共に前方視反時計方向に回動しながら前面カバー５６から飛び出すように直動し、サブ可動演出部材７２がメイン可動演出部材７１に対して回動する。ここで、可動演出部材７０はライターを模した形状になっているので、サブ可動演出部材７２のメイン可動演出部材７１に対する回動動作によって、可動演出部材７０は、ライターの蓋が開く動作を演出することができる。
【００７９】
このように、本実施形態の可動役物装置４０では、可動演出部材７０が、可動ベース４５と共に回動する第１の動作と、第１の動作に加えて前面カバー５６から飛び出す第２の動作と、第２の動作に加えて蓋が開く第３の動作とを、可動ベース４５の回動に伴って段階的に行うようになっている。
【００８０】
ところで、可動役物装置４０のモータ４２（図６参照）は、遊技者によって操作ボタン２９（図１参照）が操作されたことを契機にして、可動ベース４５を第１主回動位置から第２主回動位置へ回転駆動するようになっている。これにより、遊技者の意思で、メイン可動演出部材７１及びサブ可動演出部材７２を移動させることが可能になる。
【００８１】
具体的には、表示画面３０Ｇで行う演出として特定の演出が選択されると、図２１（Ａ）に示すように、表示画面３０Ｇに、「ボタンを長押ししてね」というメッセージが表示される。そして、メッセージに従って遊技者が操作ボタン２９を長押しすると、操作ボタン２９が非作動位置から作動位置に配置され、モータ４２が作動するようになっている。ここで、特定の演出は、例えば、表示画面３０Ｇに表示されるキャラクターや風景が段階的に変化する演出（以下、「ステップアップ演出」という）となっていて、特別図柄の変動中にリーチや大当たりとなるかを演出する場合や、ノーマルリーチからスペシャルリーチに発展するか否かを演出する場合や、大当たり遊技中に、その大当たり遊技終了後、確率変動に突入するか否かを演出する場合等に実行される。なお、本実施形態では、操作ボタン２９が本発明の「演出実行操作部」に相当し、表示画面３０Ｇが本発明の「画像表示部」に相当する。
【００８２】
モータ４２が作動すると、主回動部材４６が第１主回動位置から第２主回動位置へと移動し、可動演出部材７０が表示装飾枠２３（図１参照）の裏側から表示画面３０Ｇの前方に出現する。そして、主回動部材４６が第２主回動位置に配置されたときに、操作ボタン２９が長押しされ続けている場合には、表示画面３０Ｇにてステップアップ演出が実行される。
【００８３】
ステップアップ演出では、まず、表示画面３０Ｇに、図２１（Ｂ）に示すようにライター本体を模したメイン可動演出部材７１の先端から炎が吹き出すような画像が表示され、１ステップ目の演出が表示される。各ステップの演出時間は、予め設定されていて、１ステップ目の演出時間が経過するまで操作ボタン２９が長押しされ続けた場合には、２ステップ目の演出が行われ（図２１（Ｃ）参照）、さらに２ステップ目の演出時間が経過するまで操作ボタン２９が長押しされ続けた場合には、３ステップ目の演出が行われる（図２２（Ｃ）参照）。なお、図２１（Ｂ）〜図２２（Ｃ）では、表示画面３０Ｇにて行われる各ステップの演出が、「ＳＴＥＰ１」〜「ＳＴＥＰ３」という文字によって概念的に示されている。
【００８４】
ここで、ステップの途中で操作ボタン２９の長押しが中断された場合には、図２１（Ｃ）から図２２（Ａ）の変化に示すように、ステップアップ演出を中断し、主回動部材４６を第１主回動位置へと移動させて、可動演出部材７０を表示装飾枠２３の裏側に格納する。このとき、遊技機１０は、中断されたステップの演出（図２１（Ｃ）の例では、２ステップ目の演出）を表示していた時間を実行済み時間として記憶するようになっている。
【００８５】
主回動部材４６が第１主回動位置に配置されると、表示画面３０Ｇには、再度、「長押ししてね」というメッセージが表示される。このメッセージに従って遊技者が操作ボタン２９を長押しすると、モータ４２が作動して、可動演出部材７０が表示装飾枠２３の裏側から表示画面３０Ｇの前方へと再び出現する（図２２（Ｂ）参照）。そして、主回動部材４６が第２主回動位置に配置されたときに、操作ボタン２９が長押しされ続けている場合には、先に中断されたステップアップ演出の続きから演出が再開される。具体的には、図２１（Ｃ）〜図２２（Ｃ）の例に示すように、中断時に記憶した２ステップ目の演出（図２１（Ｃ）及び図２２（Ａ）参照）の実行済み時間に、ステップアップ演出の再開後に２ステップ目の演出（図２２（Ｂ）参照）を実行した時間を足し合わせ、その合計が２ステップ目の演出時間に達すると、次の３ステップ目の演出が実行される（図２２（Ｃ）参照）。
【００８６】
このように、本実施形態の遊技機１０では、可動演出部材７０が表示画面３０Ｇの前方に配置されたときに、表示画面３０Ｇにて特定の演出（ステップアップ演出）が実行され、可動演出部材７０が表示装飾枠２３の裏側へ格納されたときには、特定の演出が中断される。そして、可動演出部材が再び表示画面３０Ｇの前方に配置されると、特定の演出が再開される。これにより、可動演出部材７０の動作による演出と表示画面３０Ｇによる特定の演出に一体感を持たせて趣向性を高めることが可能になる。
【００８７】
なお、主回動部材４６が第２主回動位置から第１主回動位置へ戻る途中で操作ボタン２９が長押しされても、主回動部材４６が第１主回動位置へ配置されるまで、第２主回動位置への移動は実行されないようになっている。また、操作ボタン２９の長押しによって主回動部材４６が第１主回動位置から第２主回動位置へ移動する途中で操作ボタン２９の長押しが中断された場合には、主回動部材４６が第２主回動位置へ配置されても表示画面３０Ｇによる特定の演出は実行されず、直ちに、モータ４２が逆回転して主回動部材４６が第１主回動位置へと戻るようになっている。
【００８８】
次に、遊技機１０の作用効果について説明する。操作ノブ２８（図１参照）が操作されると、遊技球が遊技領域Ｒ１に打ち込まれる。また、可動演出部材７０は、通常、表示装飾枠２３の裏側に隠れていて、遊技者から視認困難となっている。
【００８９】
遊技領域Ｒ１を流下する遊技球が、始動入賞口１４に入賞すると、当否判定が行われ、その当否判定結果が、液晶表示装置３０の表示画面３０Ｇに表示される。また、当否判定結果が当たりである場合には、大当たり遊技が開始される。即ち、可動扉１５Ｔが開き、大入賞口１５に遊技球が入球可能となる。
【００９０】
ここで、表示画面３０Ｇでは、当否判定結果がリーチや大当たりとなるかについての演出や、大当たり遊技中に、大当たり遊技終了後に確変に突入するかについての演出が行われ、それらの演出として、ステップアップ演出が選択されると、表示画面３０Ｇに、遊技者に操作ボタン２９を長押しするように指示するメッセージが表示される。
【００９１】
操作ボタン２９が長押しされると、可動役物装置４０のモータ４２が作動して、可動ベース４５が第１主回動位置から第２主回動位置へと回動し、可動演出部材７０が表示装飾枠２３の裏側から表示画面３０Ｇの前方に出現する。そして、可動ベース４５が第２主回動位置に配置されたときに、操作ボタン２９が長押しされ続けていると、表示画面３０Ｇにてステップアップ演出が実行される。
【００９２】
このとき、可動演出部材７０は、従回動部材６０のストッパ当接部６５が固定ベース４１に形成されたストッパ当接部受容凹部４４のストッパ面４４Ｍと当接するまでは、可動ベース４５と共に回動する第１の動作を行う（図９参照）。
【００９３】
ストッパ当接部６５がストッパ面４４Ｍと当接すると、従回動部材６０が主回動部材４６に対して第１主回動位置側へと回動する。即ち、従回動部材６０は、第１従回動位置から第２従回動位置へと回動する。従回動部材６０の回動は、動力伝達ギア５３を介して、メイン可動演出部材７１の主回動部材４６に対する直動に変換され、可動演出部材７０が、可動ベース４５を基準とした第１ベース位置から第２ベース位置へと直動する。これにより、可動演出部材７０は、第１の動作に加えて前面カバー５６から飛び出すように直動するという第２の動作を行う。
【００９４】
メイン可動演出部材７１が第２ベース位置へ向かって直動すると、メイン可動部材７１に設けられたメイン突部８０と、サブ可動演出部材７２に連動する連動部材９０に設けられたサブ突部９１とが、突部ガイド孔５０に沿って移動する。このとき、メイン可動部材７１が第１ベース位置と第２ベース位置の中間の中間ベース位置（図１３〜図１６参照）よりも第１ベース位置側を移動するときには、メイン突部８０とサブ突部９１は共に突部ガイド５０Ａに沿って移動し、メイン可動演出部材７１が中間ベース位置より第２ベース位置側を移動するときには、メイン突部８０が突部ガイド孔５０Ａに沿って移動する一方、サブ突部９１が突部位置変更ガイド５０Ｂに沿って移動する。ここで、メイン突部８０及びサブ突部９１は、ワッシャー８０Ｗ，９１Ｗによって突部ガイド孔５０から抜け止めされているので、メイン可動演出部材７１及びサブ可動演出部材７２が移動するときのがたつきが抑えられる。
【００９５】
そして、サブ突部９１の突部位置変更ガイド５０Ｂに沿った移動に伴って、連動部材９０がメイン可動演出部材７１に対して回動し、サブ可動演出部材７２がメイン可動演出部材７１を基準とした第１メイン位置から第２メイン位置へと回動する。これにより、可動演出部材７０は、第２の動作に加えてメイン可動演出部材７１に対してサブ可動演出部材７２が回動するという第３の動作を行う。
【００９６】
ステップアップ演出の途中で、操作ボタン２９の長押しが中断されると、モータ４２が逆方向に回転駆動される。そして、可動ベース４５が第１主回動位置に配置されて、可動演出部材７０が表示装飾枠２３の裏側に格納される。また、可動演出部材７０が格納された後、操作ボタン２９が長押しされると、再度、モータ４２が作動して、可動ベース４５が第１主回動位置から第２主回動位置へと回動し、可動演出部材７０が表示装飾枠２３の裏側から表示画面３０Ｇの前方に出現する。
【００９７】
このように、本実施形態の遊技機１０では、メイン可動演出部材７１が第１ベース位置から中間ベース位置へ移動するときには、サブ突部９１がメイン突部８０と共に突部ガイド５０Ａに沿って移動することで、サブ可動演出部材７２が第１メイン位置に保持されたままメイン可動演出部材７１と共に第２ベース位置側へ移動し、メイン可動演出部材７１が中間ベース位置から第２ベース位置へ移動するときには、サブ突部９１が突部位置変更ガイド５０Ｂに沿って移動することで、サブ可動演出部材７２が第１メイン位置から第２メイン位置へ移動しながらメイン可動演出部材７１と共に第２ベース位置側へ移動するので、１つのモータ４２によってメインとサブの２つの可動演出部材７１，７２に異なる動作を行わせて趣向性を向上させることが可能になる。しかも、主回動部材４６が回動する過程で、メイン可動演出部材７１を直動させるようにしたので、１つのモータ４２で、可動演出部材７０に３つの動作を段階的に行わせることができ、より趣向性を高めることが可能になる。また、その可動演出部材７０の段階的な動きは、表示装飾枠２３からの出現度合いに応じて変化するので、さらなる趣向性の向上が図られる。
【００９８】
また、本実施形態では、動力伝達ギア５３とラック７６との係合によりメイン可動演出部材７１が直動するときに、メイン突部８０によって突部ガイド５０Ａの幅方向の移動が規制され、メイン可動演出部材７１の直動の安定化が図られる。しかも、メイン突部８０が移動する突部ガイド５０Ａを、サブ突部９１も移動するようにしたので、突部ガイド５０Ａの有効利用が図られる。さらに、メイン突部８０及びサブ突部９１が、突部ガイド孔５０から抜け止めされることで、メイン可動演出部材７１及びサブ可動演出部材７２が移動するときのがたつきが抑えられる。
【００９９】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【０１００】
（１）上記実施形態では、ベース部材が遊技機本体に対して移動する構成であったが、ベース部材が遊技機本体に対して固定された構成であってもよい。具体的には、可動演出部材７１のラック７６に、モータ４２の出力ギア４２Ｇが噛合する構成としてもよいし、遊技機本体に固定されたソレノイドのプランジャと一体にメイン可動演出部材が移動する構成としてもよい。
【０１０１】
（２）上記実施形態では、動力伝達ギア５３とラック７６との係合によって、メイン可動演出部材７１が第１ベース位置から第２ベース位置へ案内される構成であったが、メイン突部と突部ガイドとの係合によって、メイン可動演出部材が案内される構成であってもよい。具体的には、図２３に示すように、メイン可動演出部材７１Ｖが駆動源からの動力Ｆを受けたときに、メイン突部８０が突部ガイド５０Ａに摺接することで、メイン可動演出部材７１Ｖが突部ガイド５０Ａに沿って移動する構成であってもよい。
【０１０２】
（３）メイン突部８０を突部ガイド５０Ａに沿って複数並べて備えてもよいし、メイン突部８０を長円形にしてもよい。
【０１０３】
（４）上記実施形態では、本発明の「演出実行操作部」を操作ボタン２９に適用した例を示したが、例えば、通常は、遊技板１１側に付勢されて遊技者側に引き寄せることが可能な操作レバーに適用してもよい。
【０１０４】
（５）図２４に示すメインガイド孔１５０のように、突部位置変更ガイド１５０Ｂが、突部ガイド１５０Ａと平行な部分を有してもよい。なお、図２５には、メイン可動演出部材７１がベース部１４５を基準として移動したときの動作が上から順番に示されており、図２４には、その動作に伴ってメイン突部８０及びサブ突部９１がメインガイド孔１５０内を移動する様子が上から順番に示されている。
【０１０５】
（６）図２６（Ａ）及び図２６（Ｂ）に示すように、メイン可動演出部材７１がベース部４５Ｗに対して蛇行しながら直線状に移動し、突部ガイド孔１５１が、蛇行しながら直線状に延びた突部ガイド１５１Ａと、その一端部から突部ガイド１５１Ａが延びる方向とは異なる方向に直線状に延びた突部位置変更ガイド１５０Ｂとで構成されてもよい。
【０１０６】
（７）図２７に示すように、ベース部１４６に、突部ガイド１５２Ａの中間部から突部位置変更ガイド１５２Ｂが分岐した突部ガイド孔１５２を有した構成であってもよい。この構成において、メイン突部８０がサブ突部９１より第２位置側（図２７における右側）に配置されるようにしてもよい。なお、図２７に示すサブ突部９１は、下方に付勢されている。
【０１０７】
（８）また、図２８に示すように、ベース部１４７に、メイン突部８０が移動する突部ガイド孔１５３（請求項４の発明における「突部ガイド」に相当する）と、サブ突部９１が移動するサブ突部ガイド孔１５４とを別個に設けた構成であってもよい。このサブ突部ガイド孔１５４は、突部ガイド孔１５３と平行な突部位置保持ガイド１５４Ａと、突部位置保持ガイド１５４Ａの一端から突部位置保持ガイド１５４Ａの延長線とは異なる方向に延びた突部位置変更ガイド１５４Ｂとで構成されている。なお、突部ガイド８０及び突部ガイド孔１５３は、１つずつ設けられてもよいし、複数ずつ設けられてもよい。また、突部ガイド孔１５３の長さは、構造によって、突部保持ガイド孔１５４Ａと長さが同じでもよいし、短くてもよい。
【０１０８】
なお、この構成において、メイン可動演出部材７１がメイン突部８０と突部ガイド１５３との係合によって第１ベース位置と第２ベース位置との間を移動する構成であってもよいし、ベース部１４７に回転可能に支持された動力伝達車と、メイン可動演出部材７１（第１可動演出部材）に設けられて第１ベース位置（第１位置）と第２ベース位置（第２位置）との間で移動させる線状受動部とを備えた構成であってもよい。後者の構成によれば、動力伝達車と線状受動部との係合によりメイン可動演出部材７１が移動するときに、メイン突部８０によって突部ガイド孔１５３の幅方向の移動を規制してメイン可動演出部材７１の移動の安定化を図ることが可能になる。また、動力伝達車と線状受動部を備えた構成では、突部ガイド孔と突部位置保持ガイドとは、互いに平行でなくてもよい。そのような構成の一例として、メイン可動演出部材を、線状受動部が備えられた第１メイン演出体とメイン突部が形成された第２メイン演出体とで構成し、突部ガイド孔を第１メイン演出体の移動方向とは異なる方向に延びるように配置すると共に突部位置保持ガイドを第１メイン演出体の移動方向と平行に配置し、第１メイン演出体が第２ベース位置側へ移動するに従って、第２メイン演出体が第１メイン演出体から分離するように構成してもよい。これにより、メイン可動演出部材の動作についても趣向性を向上させることができる。
【０１０９】
また、突部ガイド、突部位置保持ガイド及び突部位置変更ガイドは、各々メイン突部８０及びサブ突部９１と係合するガイドレールであってもよいし、ベース部１４７に陥没形成又は貫通形成されたガイド凹部であってもよい。ここで、突部ガイド、突部位置保持ガイド及び突部位置変更ガイドをガイド凹部とした場合には、メイン突部８０及びサブ突部９１に、各々のガイド凹部を貫通するか又はガイド凹部に嵌り込んで、先端部側に抜け抑制部を備えてもよい。これにより、メイン突部８０及びサブ突部９１のガイド凹部からの抜けが抑制され、メイン可動演出部材７１及びサブ可動演出部材７２（第２可動演出部材）が移動するときのがたつきを抑えることが可能になる。
【０１１０】
（９）上記実施形態では、サブ突部９１が、サブ可動演出部材７２に連動する連動部材９０に設けられていたが、サブ可動演出部材７２に設けられてもよい。なお、上記実施形態の構成によれば、サブ可動演出部材７２の配置の自由度を高めることが可能になる。また、上記実施形態によれば、連動部材９０の長さを調整することで、サブ可動演出部材７２の動きが大きかったり、サブ可動演出部材７２の大きさが大きい場合にも対応することが可能である。
【０１１１】
（１０）ガイド孔係合突部８０Ｔ，９１Ｔが突部ガイド５０を貫通した状態で、それら突部の先端部を、例えば、熱カシメすることで、本発明の「抜け抑制部」を形成してもよい。
【０１１２】
（１１）上記実施形態では、本発明の「ガイド凹部」が可動ベース４５に形成された貫通孔であったが、可動ベース４５に陥没形成されたガイド溝であってもよい。
【０１１３】
（１２）上記実施形態では、可動演出部材７０がモータ４２からの動力を受けて移動する構成であったが、例えば、流下する遊技球の衝突や他の駆動体の動きにおける衝突による動力を受けて移動する構成としてもよいし、可動演出部材７０の自重によって移動し、バネなどを設けて元に戻る構成としてもよい。
【符号の説明】
【０１１４】
１０    遊技機
２９    操作ボタン（演出実行操作部）
３０Ｇ    表示画面（画像表示部）
４０    可動役物装置
４２    モータ（駆動源）
４４Ｍ    ストッパ面（ストッパ）
４５    可動ベース（ベース部）
４５Ｗ，１４６，１４７    ベース部
４６    主回動部材
５０    突部ガイド孔（ガイド凹部）
５０Ａ，１５１Ａ，１５２Ａ，１５３    突部ガイド
５０Ｂ，１５１Ｂ，１５２Ｂ，１５４Ｂ    突部位置変更ガイド
５３    動力伝達ギア（動力伝達車）
５６    前面カバー
６０    従回動部材
６４Ｇ    第２円弧状ギア（曲線受動部）
６５    ストッパ当接部
７１，７１Ｖ    メイン可動演出部材（第１可動演出部材）
７２    サブ可動演出部材（第２可動演出部材）
７６    ラック（線状受動部、直線受動部）
８０    メイン突部（第１突部）
８０Ｗ    ワッシャー（抜け抑制部）
９０    連動部材
９１    サブ突部（第２突部）
９１Ｗ    ワッシャー（抜け抑制部）
１５４Ａ    突部位置保持ガイド
【図１】
0005328945.tif 000002
【図２】
0005328945.tif 000003
【図３】
0005328945.tif 000004
【図４】
0005328945.tif 000005
【図５】
0005328945.tif 000006
【図６】
0005328945.tif 000007
【図７】
0005328945.tif 000008
【図８】
0005328945.tif 000009
【図９】
0005328945.tif 000010
【図１０】
0005328945.tif 000011
【図１１】
0005328945.tif 000012
【図１２】
0005328945.tif 000013
【図１３】
0005328945.tif 000014
【図１４】
0005328945.tif 000015
【図１５】
0005328945.tif 000016
【図１６】
0005328945.tif 000017
【図１７】
0005328945.tif 000018
【図１８】
0005328945.tif 000019
【図１９】
0005328945.tif 000020
【図２０】
0005328945.tif 000021
【図２１】
0005328945.tif 000022
【図２２】
0005328945.tif 000023
【図２３】
0005328945.tif 000024
【図２４】
0005328945.tif 000025
【図２５】
0005328945.tif 000026
【図２６】
0005328945.tif 000027
【図２７】
0005328945.tif 000028
【図２８】
0005328945.tif 000029